(57)【要約】      （修正有）【課題】遠隔通信網を介した携帯端末を用いる非接触カードのリチャージ方法を提供する。【解決手段】キオスク端末に固有の識別子を有することができ、非接触スマートカード１との通信が可能な、リチャージキオスク端末２と、任意の通信手段を介してリチャージサーバ４と通信できるリチャージ管理プログラムを備えた携帯端末３と、通信網と識別モジュールを介する支払い手段と、リチャージサーバ４とから成り、携帯端末３がキオスク端末２の識別子の取得のための形状読取手段を備える。【選択図】図１
2005353048.tif 000002
【特許請求の範囲】
【請求項１】
キオスク端末に固有の識別子を有することができ、非接触スマートカード（１）と通信可能なリチャージキオスク端末（２）と、キオスク端末（２）の識別子が存在する場合に該識別子の取得のために形状読取手段（３１）を備えた携帯端末（３）と、任意のタイプの通信手段を介してリチャージサーバ（４）と通信することのできるリチャージ管理プログラム（３３）と、通信網と識別モジュールを介する支払い手段と、リチャージサーバ（４）とから成る装置によって用いられる非接触スマートカード（１）のリチャージ方法において、
・リチャージキオスク端末（２）が、キオスク端末（２）識別子と、場合によってはトランザクション識別子と、認証またはキオスク端末データとから成ることがあるバーコードを表示する過程（６４）であって、通信過程（６２）が行われない場合にはバーコードにはトランザクション識別子だけが含まれている過程と、
・携帯端末（３）上の形状読取手段（３１）によって前の過程で表示された情報を取得する過程と、
・携帯端末（３）のリチャージ管理プログラム（３３）とリチャージサーバ（４）の間の通信過程（６６）であって、該過程の間に、リチャージ管理プログラム（３３）が、バーコードまたは前の過程でバーコード入力に含まれていた情報の一部を伝達し、取引支払いを遂行する過程と、
・リチャージサーバ（４）によって遂行される、取引支払いが確認されスマートカード（１）のキオスク端末（２）が認証される過程（６７）と、
・スマートカード（１）に入金（ｃｒｅｄｉｔ）するために、リチャージサーバ（４）からデータリチャージキオスク端末（２）への直接伝達または間接伝達のための過程（６８）と、
・取引完了についての情報を伝達するための、リチャージキオスク端末（２）と非接触スマートカード（１）の間の伝達過程（６９）であって、スマートカード（１）に入金する過程、を含むことを特徴とする方法。
【請求項２】
スマートカード（１）識別過程（６０）、キオスク端末（２）がカード上の情報を表示する過程（６１）、キオスク端末（２）とリチャージサーバ（４）の間の通信過程（６２）、リチャージ管理プログラム（３３）の開始をキオスク端末（２）に指示する過程（６３）、およびキオスク端末（２）がリチャージに肯定応答する過程が、全て随意の過程であることを特徴とする、請求項１に記載の非接触スマートカード（１）のリチャージ方法。
【請求項３】
リチャージ管理プログラム（３３）とリチャージサーバ（４）の間の通信過程（６６）の間に、リチャージサーバ（４）が、リチャージ管理プログラム（３３）の代わりに支払いをトリガーすることができることを特徴とする、請求項１に記載の非接触スマートカード（１）のリチャージ方法。
【請求項４】
スマートカード（１）と組み合わされたクレジットシステムが中央システムである場合、リチャージサーバ（４）が支払いサーバ（５）に直接入金し、このとき該方法が、支払い確認過程（６７）からリチャージ肯定応答過程（６９１）に行くことを特徴とする、請求項１に記載の非接触スマートカード（１）のリチャージ方法。
【請求項５】
リチャージサーバ（４）からリチャージキオスク端末（２）にデータを伝達する過程（６８）が、スマートカード（１）に入金されるように行われる場合、リチャージサーバ（４）からリチャージ管理プログラム（３３）にデータを伝達する過程（６８１）が行われず、また逆も同様であることを特徴とする、請求項１に記載の非接触スマートカード（１）のリチャージ方法。
【請求項６】
スマートカード（１）がチャレンジを送ることが可能で、該チャレンジがリチャージサーバ（４）に伝達され、該リチャージサーバ（４）がチャレンジ−取引額の対に署名し、また、スマートカード（１）がリチャージサーバ（４）の署名を認識した場合に、取引額をそれ自体に入金することを特徴とする、請求項１に記載の非接触スマートカード（１）のリチャージ方法。
【請求項７】
セキュリティ機構を、スマートカード（１）とリチャージサーバ（４）間の、交換の暗号化および相互認証を伴なうＴＳＬ型トラスト機構とすることができ、このタイプの機構を、キオスク端末（２）とスマートカード（１）の間に適用しても良いことを特徴とする、請求項６に記載の非接触スマートカード（１）のリチャージ方法。
【請求項８】
クレジットがネットワーク内に記憶され、リチャージサーバ（４）とリチャージキオスク端末（２）が互いに接続されていないとき、
・リチャージキオスク端末（２）が、キオスク端末（２）識別子と、場合によってはトランザクション識別子と、カード（１）またはキオスク端末（２）認証データとから成ることがあるバーコードを表示し、通信過程（６２）が行われない場合には、バーコードにはトランザクション識別子だけが含まれる過程（６４）と、
・携帯端末（３）上の形状読取手段（３１）によって、前の過程で表示された情報を入力する過程（６５）と、
・携帯端末（３）上のリチャージ管理プログラム（３３）とリチャージサーバ（４）の間の通信過程（６６）であって、該過程の間に、リチャージ管理プログラム（３３）が、バーコード、または前の過程でバーコード入力から抽出された情報の一部を伝達し、取引支払いを遂行する過程（６６）と、
・リチャージサーバ（４）によって遂行される、支払い／取引が確認され、キオスク端末（２）／スマートカード（１）が認証される過程（６７）と、
・スマートカード（１）に入金できるように、リチャージサーバ（４）がデータをリチャージ管理プログラム（３３）に伝達する過程（６８１）であって、リチャージ管理プログラム（３３）がこれらのデータをユーザーに表示することが可能で、ユーザーはそれらをリチャージキオスク端末（２）に伝達することができる過程（６８１）、
を含むことを特徴とする、請求項１または２に記載のリチャージ方法。
【請求項９】
クレジットがネットワーク内に記憶され、リチャージサーバ（４）とリチャージキオスク端末（２）が互いに接続されているとき、
・リチャージキオスク端末（２）が、キオスク端末（２）識別子と、場合によってはトランザクション識別子と、カード（１）またはキオスク端末（２）認証データとから成ることがあるバーコードを表示し、通信過程（６２）が行われない場合には、バーコードにはトランザクション識別子だけが含まれている過程（６４）と、
・携帯端末（３）上の形状読取手段（３１）によって前の過程で表示された情報を入力する過程（６５）と、
・携帯端末（３）上のリチャージ管理プログラム（３３）とリチャージサーバ（４）の間の通信過程（６６）であって、該過程の間に、リチャージ管理プログラム（３３）が、バーコード、または前の過程でバーコード入力から抽出された情報の一部を伝達し、取引支払いを遂行する過程（６６）と、
・リチャージサーバ（４）によって遂行される、支払い／取引が確認され、キオスク端末（２）／スマートカード（１）が認証される過程（６７）と、
・リチャージサーバ（４）が、データをスマートカード（１）に入金するために使用されるリチャージ管理プログラム（３３）に伝達する過程（６８１）であって、該リチャージ管理プログラム（３３）がこれらのデータをユーザーに表示することが可能で、該ユーザーはそれらをリチャージキオスク端末（２）に伝達することができる過程（６８１）、を含むことを特徴とする、請求項１または２に記載の非接触スマートカード（１）のリチャージ方法。
【請求項１０】
クレジットがスマートカード内に記憶され、リチャージサーバ（４）とリチャージキオスク端末（２）が互いに接続されていないとき、
・リチャージキオスク端末（２）が、キオスク端末（２）識別子と、場合によってはトランザクション識別子と、カード（１）またはキオスク端末（２）認証データとから成ることがあるバーコードを表示し、通信過程（６２）が行われない場合には、バーコードにはトランザクション識別子だけが含まれている過程（６４）と、
・携帯端末（３）上の形状読取手段（３１）によって前の過程で表示された情報を入力する過程（６５）と、
・携帯端末（３）上のリチャージ管理プログラム（３３）とリチャージサーバ（４）の間の通信過程（６６）であって、該過程の間に、リチャージ管理プログラム（３３）が、バーコード、または前の過程でバーコード入力から抽出された情報の一部を伝達し、取引支払いを遂行する過程（６６）と、
・リチャージサーバ（４）によって遂行される、支払い／取引が確認され、キオスク端末（２）／スマートカード（１）が認証される過程（６７）と、
・データが、リチャージサーバ（４）からリチャージ管理プログラム（３３）に伝達され、スマートカード（１）に入金するために使用される過程（６８１）であって、リチャージ管理プログラム（３３）がこれらのデータをユーザーに表示することが可能で、ユーザーはそれらをリチャージキオスク端末（２）に伝達することができる過程（６８１）と、
・取引実施に関係づけられた情報を伝達するための、リチャージキオスク端末（２）と非接触スマートカード（１）の間の通信過程（６９）であって、この場合、スマートカードに入金される過程（６９）、を含んでいることを特徴とする、請求項１または２に記載の非接触スマートカード（１）のリチャージ方法。
【請求項１１】
クレジットがスマートカード（１）内に記憶され、リチャージサーバ（４）とリチャージキオスク端末が互いに接続されているとき、
・リチャージキオスク端末（２）が、キオスク端末（２）識別子と、場合によってはトランザクション識別子と、カード（１）またはキオスク端末（２）認証データとから成ることがあるバーコードを表示し、通信過程（６２）が行われない場合には、バーコードにはトランザクション識別子だけが含まれている過程（６４）と、
・携帯端末（３）上の形状読取手段（３１）によって前の過程で表示された情報を入力する過程（６５）と、
・携帯端末（３）上のリチャージ管理プログラム（３３）とリチャージサーバ（４）の間の通信過程（６６）であって、該過程の間に、リチャージ管理プログラム（３３）が、バーコード、または前の過程でバーコード入力から抽出された情報の一部を伝達し、取引支払いをなす過程（６６）と、
・リチャージサーバ（４）によって遂行される、支払い／取引が確認され、キオスク端末（２）／スマートカード（１）が認証される過程（６７）と、
・データが、リチャージサーバ（４）からリチャージキオスク端末（２）に伝達され、スマートカード（１）に入金するために使用される過程（６８）と、
・取引実行に関係づけられた情報を伝達するための、リチャージキオスク端末（２）と非接触スマートカード（１）の間の通信過程（６９）であって、つぎにスマートカードに入金される過程（６９）と、
・リチャージキオスク端末（２）によるリチャージの肯定応答過程（６９１）、を含むことを特徴とする、請求項１または２に記載の非接触スマートカードのリチャージ方法。
【請求項１２】
キオスク端末に固有の識別子を有することができ、非接触スマートカード（１）との通信が可能なリチャージキオスク端末（２）と、任意の通信手段を介してリチャージサーバ（４）と通信できるリチャージ管理プログラム（３３）が設置された携帯端末（３）と、通信網と識別モジュールを介する支払い手段と、リチャージサーバ（４）とから成り、携帯端末（３）がキオスク端末（２）識別子の取得のための形状読取手段（３１）を有することを特徴とする、非接触スマートカード（１）のリチャージ方法。
【請求項１３】
形状読取手段（３１）をデジタルカメラとすることができることを特徴とする、請求項１２に記載の非接触スマートカード（１）にリチャージするための方法。
【請求項１４】
形状を分析する手段（３１）が、ネットワーク内の部分的にまたは完全に遠隔機能であることを特徴とする、請求項１２に記載の非接触スマートカード（１）のリチャージ方法。
【請求項１５】
遠隔通信網を介した支払い手段が、ＳＭＳタイプのものであることを特徴とする、請求項１２に記載の非接触スマートカード（１）のリチャージ方法。
【請求項１６】
リチャージキオスク端末（２）が、アプリケーションとキオスク端末の間の従来の通信手段を用いるリチャージサーバ（４）と、インターフェイスで接続することができることを特徴とする、請求項１２に記載の非接触スマートカード（１）のリチャージ方法。
【請求項１７】
リチャージキオスク端末を対話型とすることができることを特徴とする、請求項１２に記載の非接触スマートカード（１）のリチャージ方法。
【請求項１８】
リチャージ管理プログラム（３３）が、リチャージキオスク端末（２）の情報と、なされる取引についての情報を検索し、それをリチャージサーバ（４）に伝達するのに用いることができることを特徴とする、請求項１２に記載の非接触スマートカード（１）のリチャージ方法。
【発明の詳細な説明】
【技術分野】
【０００１】
本発明は、遠隔通信分野にとくに応用できる、無線装置を用いる加入カードリチャージのための方法に関するものである。
【背景技術】
【０００２】
広域分配のための非接触スマートカードの使用は、先行技術において既知である。この技術は、輸送とレジャーを含むいくつかの産業において広く分配されている。輸送業界において、磁気乗車券および機械式乗車券確認機械は、非接触スマートカードおよび適切なキオスク端末に取って代わられている。同様に、レジャー産業において、スキー場ではその固定料金に代わって同様の技術が使用されている。かかるカードを用いる際の大きな不都合の一つは、きわめて頻繁にリチャージしなければならないことである。このリチャージには、バンクカード、または現金払いなどの従来の支払い手段の使用が要求される。
【０００３】
遠隔通信界、またとくに電話業界は、リチャージ可能カードの大手消費者である。このため電話通信事業者は、そのユーザー達が自己のカードにリチャージするための多数の方法を提供している。
【０００４】
第一の方法は、ユーザーが、リチャージクーポンまたは切符を購入することをもってなる。このクーポンは、カードまたは紙の切符の形状でその上にはリチャージ数が記され、次にユーザーは、この数字を自己の電話に入力して自己の消費クレジットにリチャージする。
【０００５】
第二の方法は、自動現金支払機を介してカードにリチャージすることをもってなる。操作は、単純な現金引き出しと同じように行われるが、例外的に、該支払機は、テレホンカードのリチャージに用いられた機能を有し、この場合に消費者の口座からリチャージ額が引き落とされる。
【０００６】
第三の方法は、安全な通信によって特別な番号を呼び出すことによりカードに入金（ｃｒｅｄｉｔｉｎｇ）し、ユーザーは自己のクレジットカード番号を事業者に通知し、入金する額を選択する。
【０００７】
別の方法は、ユーザーのカードに入金するために、ユーザーの銀行口座から毎月自動的に口座引き落としを行うことである。
【０００８】
これら全ての方法は、従来の支払い方法を使用し、どれもが使用における柔軟性はあるが、それぞれがカードユーザーに各種の不便をかけている。リチャージクーポンは、リチャージを起動するためにユーザーに多くの数字を入力させるので、入力に誤りが起きるおそれがあり、そのときユーザーは入力を最初から再開しなければならない。バンクカードによるリチャージは、このサービスへのアクセスを制限するクレジットカードをユーザーが保持することを可能にする口座をユーザーが持っている場合にのみ、可能である。さらに、一部のカードユーザーは、この種の取引のための通信はきわめて安全であるにもかかわらず、電話で自己のクレジットカード番号を教えたがらない。最後に、毎月の口座引き落としによるリチャージは、ユーザーのカードにリチャージするか否かのユーザーの自由を制限する。
【発明の開示】
【発明が解決しようとする課題】
【０００９】
本発明の目的は、遠隔通信網を介した携帯端末の新規画像取得能力と、キオスク端末を介してリチャージを可能にする非接触スマートカードとの相互作用手段と、キオスク端末と支払インフラストラクチャの間の相互作用手段との組み合わせによって携帯端末を用いる非接触カードのリチャージ方法を提案することによって、先行技術の問題のいくつかを克服することである。
【課題を解決するための手段】
【００１０】
この目的を達成するのに用いられるのは、キオスク端末に固有の識別子を有することができ、非接触スマートカードと通信可能なリチャージキオスク端末と、キオスク端末の識別子が存在する場合に該識別子の取得のために形状読取手段を備えた携帯端末と、任意のタイプの通信手段を介してリチャージサーバと通信することのできるリチャージ管理プログラムと、通信網と識別モジュールを介する支払い手段と、リチャージサーバとから成る装置によって用いられる非接触スマートカードのリチャージ方法であって、該方法は、
・リチャージキオスク端末が、キオスク端末識別子と、場合によってはトランザクション識別子と、認証またはキオスク端末データとから成ることがあるバーコードを表示する過程であって、通信過程が行われない場合にはバーコードにはトランザクション識別子だけが含まれている過程と、
・携帯端末上の形状読取手段によって前の過程で表示された情報を取得する過程と、
・携帯端末のリチャージ管理プログラムとリチャージサーバの間の通信過程であって、該過程の間に、リチャージ管理プログラムが、バーコードまたは前の過程でバーコード入力に含まれていた情報の一部を伝達し、取引支払いを遂行する過程と、
・リチャージサーバによって遂行される、取引支払いが確認されスマートカードのキオスク端末が認証される過程と、
・スマートカードに入金するために、リチャージサーバからデータリチャージキオスク端末への直接伝達または間接伝達のための過程と、
・取引完了についての情報を伝達するための、リチャージキオスク端末と非接触スマートカードの間の伝達過程であって、スマートカードに入金する過程、とから成る方法である。
【００１１】
別の特徴によれば、スマートカード識別過程、キオスク端末がカード上の情報を表示する過程、キオスク端末とリチャージサーバの間の通信過程、リチャージ管理プログラムの開始をキオスク端末に指示する過程、およびキオスク端末がリチャージに肯定応答する過程は、全て随意の過程である。
【００１２】
別の特徴によれば、リチャージサーバは、リチャージ管理プログラムとリチャージサーバの間の通信過程の間に、リチャージ管理プログラムの代わりに支払いをトリガーすることができる。
【００１３】
別の特徴によれば、スマートカードと組み合わされたクレジットシステムが中央システムである場合、リチャージサーバは支払いサーバに直接入金し、このとき該方法は支払い確認過程をリチャージ肯定応答過程に変更する。
【００１４】
別の特徴によれば、リチャージサーバからリチャージキオスク端末にデータを伝達する過程が、スマートカードに入金されるように行われる場合、リチャージサーバからリチャージ管理プログラムにデータを伝達する過程は行われず、また逆も同様である。
【００１５】
別の特徴によれば、スマートカードはチャレンジを送ることが可能で、該チャレンジはリチャージサーバに伝達され、該リチャージサーバはチャレンジ−取引額の対に署名し、また、スマートカードがリチャージサーバの署名を認識した場合に、取引額をそれ自体に入金する。
【００１６】
別の特徴によれば、セキュリティ機構を、スマートカードとリチャージサーバの間の、交換の暗号化および相互認証を伴うＴＳＬ型トラスト機構とすることができ、このタイプの機構をキオスク端末とスマートカードの間に適用しても良い。
【００１７】
別の特徴によれば、クレジットがネットワーク内に記憶され、リチャージサーバとリチャージキオスク端末が互いに接続されていないとき、該方法は：
・リチャージキオスク端末が、キオスク端末識別子と、場合によってはトランザクション識別子と、カードまたはキオスク端末認証データとから成ることがあるバーコードを表示し、通信過程が行われない場合には、バーコードにはトランザクション識別子だけが含まれる過程と、
・携帯端末上の形状読取手段によって、前の過程で表示された情報を入力する過程と、
・携帯端末上のリチャージ管理プログラムとリチャージサーバの間の通信過程であって、該過程の間に、リチャージ管理プログラムが、バーコード、または前の過程でバーコード入力から抽出された情報の一部を伝達し、取引支払いを遂行する過程と、
・リチャージサーバによって遂行される、支払い／取引確認、およびキオスク端末／スマートカード認証の過程、
・スマートカードに入金できるように、リチャージサーバがデータをリチャージ管理プログラムに伝達する過程であって、リチャージ管理プログラムがこれらのデータをユーザーに表示することが可能で、ユーザーはそれらをリチャージキオスク端末に伝達することができる過程、を含んでいる。
【００１８】
別の特徴によれば、クレジットがネットワーク内に記憶され、リチャージサーバとリチャージキオスク端末が互いに接続されているとき、該方法は：
・リチャージキオスク端末が、キオスク端末識別子と、場合によってはトランザクション識別子と、カードまたはキオスク端末認証データとから成ることがあるバーコードを表示し、通信過程が行われない場合には、バーコードにはトランザクション識別子だけが含まれている過程と、
・携帯端末上の形状読取手段によって前の過程で表示された情報を入力する過程と、
・携帯端末上のリチャージ管理プログラムとリチャージサーバの間の通信過程であって、該過程の間に、リチャージ管理プログラムが、バーコード、または前の過程でバーコード入力から抽出された情報の一部を伝達し、取引支払いを遂行する過程と、
・リチャージサーバによって遂行される、支払い／取引確認、およびキオスク端末／スマートカード認証過程と、
・リチャージサーバが、データをスマートカードに入金するために使用されるリチャージ管理プログラムに伝達する過程であって、該リチャージ管理プログラムがこれらのデータをユーザーに表示することが可能で、該ユーザーはそれらをリチャージキオスク端末に伝達することができる過程、を含んでいる。
【００１９】
別の特徴によれば、クレジットがスマートカード内に記憶され、リチャージサーバとリチャージキオスク端末が互いに接続されていないとき、該方法は：
・リチャージキオスク端末が、キオスク端末識別子と、場合によってはトランザクション識別子と、カードまたはキオスク端末認証データとから成ることがあるバーコードを表示し、通信過程が行われない場合には、バーコードにはトランザクション識別子だけが含まれている過程と、
・携帯端末上の形状読取手段によって前の過程で表示された情報を入力する過程と、
・携帯端末上のリチャージ管理プログラムとリチャージサーバの間の通信過程であって、該過程の間に、リチャージ管理プログラムが、バーコード、または前の過程でバーコード入力から抽出された情報の一部を伝達し、取引支払いを遂行する過程と、
・リチャージサーバによって遂行される、支払い／取引確認、およびキオスク端末／スマートカード認証の過程と、
・データが、リチャージサーバからリチャージ管理プログラムに伝達され、スマートカードに入金するのに用いられる過程であって、リチャージ管理プログラムがこれらのデータをユーザーに表示することが可能で、ユーザーはそれらをリチャージキオスク端末に伝達することができる過程と、
・取引実施に関係づけられた情報を伝達するための、リチャージキオスク端末と非接触スマートカードの間の通信過程であって、この場合スマートカードに入金される過程、を含んでいる。
【００２０】
別の特徴によれば、クレジットがカード内に記憶され、リチャージサーバとリチャージキオスク端末が互いに接続されているとき、該方法は：
・リチャージキオスク端末が、キオスク端末識別子と、場合によってはトランザクション識別子と、カードまたはキオスク端末認証データとから成ることがあるバーコードを表示し、通信過程が行われない場合には、バーコードにはトランザクション識別子だけが含まれている過程と、
・携帯端末上の形状読取手段によって前の過程で表示された情報を入力する過程と、
・携帯端末上のリチャージ管理プログラムとリチャージサーバの間の通信過程であって、該過程の間に、リチャージ管理プログラムが、バーコード、または前の過程でバーコード入力から抽出された情報の一部を伝達し、取引支払いをなす過程と、
・リチャージサーバによって遂行される、支払い／取引確認、およびキオスク端末／スマートカード認証の過程と、
・データが、リチャージサーバからリチャージキオスク端末に伝達され、スマートカードに入金するのに用いられる過程と、
・取引実行に関係づけられた情報を伝達するための、リチャージキオスク端末と非接触スマートカードの間の伝達過程であって、つぎにスマートカードに入金される過程： 
を含んでいる。
【００２１】
この目的を達成する非接触スマートカードリチャージ装置は、それに固有の識別子を有することができ、非接触スマートカードとの通信が可能なリチャージキオスク端末と、任意の通信手段を介してリチャージサーバと通信できるリチャージ管理プログラムが設置された携帯端末と、通信網と識別モジュールを介する支払い手段と、リチャージサーバとから成り、携帯端末がキオスク端末識別子の取得のための形状読取手段を有することを特徴とするものである。
【００２２】
別の特徴によれば、形状読取手段をデジタルカメラとすることができる。
【００２３】
別の特徴によれば、形状は端末によって完全に分析できる、あるいは端末は（例えば、リチャージサーバ上で利用可能な）ネットワーク内の遠隔機能を用いることができる。
【００２４】
別の特徴によれば、遠隔通信網を介した支払い手段はＳＭＳタイプのものである。
【００２５】
別の特徴によれば、リチャージキオスク端末は、アプリケーションとキオスク端末の間の従来の通信手段を用いるリチャージサーバと、インターフェイスで接続することができる。
【００２６】
別の特徴によれば、リチャージキオスク端末を対話型とすることができる。
【００２７】
別の特徴によれば、リチャージ管理プログラムは、リチャージキオスク端末の情報と、なされる取引についての情報を検索し、それをリチャージサーバに伝達するのに用いることができる。
【発明を実施するための最良の形態】
【００２８】
本発明のその他の特徴と利点は、付属の図面を参照して、下記の説明を読むことによって明らかになるだろう。
・図１は、本発明による方法を実施することのできる装置を示している。
・図２は、携帯端末と本発明によるリチャージ方法を実施するのに用いられた非接触スマートカードを示している。
・図３は、本発明による一般的な方法における過程を含むフローチャートを示している。
・図４は、本発明による方法の第一の実施態様における過程を含むフローチャートを示している。
・図５は、本発明による方法の第二の実施態様における過程を含むフローチャートを示している。
・図６は、本発明による方法の第三の実施態様における過程を含むフローチャートを示している。
・図７は、本発明による方法の第四の実施態様における過程を含むフローチャートを示している。
・付録１は、本発明によるリチャージ方法に関与するさまざまな過程の要約表を示している。
・付録２は、本発明による非接触スマートカードにリチャージする、一般的な場合の手順を示している。
・付録３は、クレジットがネットワーク内に記憶され、キオスク端末とリチャージサーバが互いに接続されていないときの本発明によるリチャージ手順を示している。
・付録４は、クレジットがネットワーク内に記憶され、キオスク端末とリチャージサーバが互いに接続されているときの本発明によるリチャージ手順を示している。
・付録５は、クレジットがカード内に記憶され、キオスク端末とリチャージサーバが互いに接続されていないときの本発明によるリチャージ手順を示している。
・付録６は、クレジットがカード内に記憶され、キオスク端末とリチャージサーバが互いに接続されているときの本発明によるリチャージ手順を示している。
【００２９】
本発明による方法は、非接触スマートカード（１）、リチャージキオスク端末（２）、例えばＧＳＭ端末などの携帯端末（３）、およびリチャージサーバ（４）を備えている。
【００３０】
非接触スマートカード（１）は、スマートカード（１）と、チップに情報を送信またはチップに情報伝達を要求することができる装置との間の、無線周波通信に用いられるアンテナ（１２）に接続されたチップ（１１）から成るカードである。非接触スマートカードは、例えば、ＲＦＩｄ技術を用いるカードとすることができる。
【００３１】
リチャージキオスク端末（２）は、非接触スマートカードとかかるカードに適合したキオスク端末との間の通常の通信手段によって、非接触スマートカード（１）とインターフェイスで接続する。リチャージキオスク端末（２）は、アプリケーションとキオスク端末の間の従来の手段によって、リチャージサーバ（４）とインターフェイスで接続することもできる。リチャージキオスク端末（２）は、対話型としてもよく、言い換えれば、ユーザーの行動を助けるようにユーザーと通信することができる。それぞれのリチャージキオスク端末（２）は、キオスク端末に固有で、例えば、バーコードの形でキオスク端末ユーザーに表示される識別子を特徴としてもよい。
【００３２】
携帯端末（３）は、各種の形状、とくにバーコードを読み取るための手段（３１）を備えている。形状読取手段（３１）は、（１メートルから数十メートル程度の）近距離読取手段である。この手段（３１）は、携帯端末内に組み込んだデジタルカメラ内のＣＣＤカメラとすることができる。このＣＣＤカメラは、所与の波長帯内でリチャージキオスク端末（２）によって発信された電磁波を読み取り、それらをデジタル信号に変換し、該デジタル信号はつぎに、形状またはキャラクタの認識ソフトウェアによって処理される。一つの推奨実施態様において、このソフトウェアは、ネットワークの中で、全体または部分的に離隔されている。携帯端末（３）も例えば、ＳＭＳ送信などの、遠隔通信網を介する支払い手段を備えている。最後に、携帯端末（３）は、任意の通信手段を介してリチャージサーバ（４）と対話する非接触カードリチャージ管理プログラム（３３）を備えている。したがって、携帯端末（３）は、二つのインターフェイスを有し、該インターフェイスは、第一に無線波による通常の通信手段（３２）であり、第二に形状捕捉手段（３１）である。さらに携帯端末（３）は、リチャージの間にユーザーが明瞭に識別されるように、ＳＩＭカードなどの識別モジュールを持たなければならない。
【００３３】
リチャージサーバ（４）は、電話技術分野で既知の通信手段によって、携帯端末（３）およびその支払いシステムとインターフェイスで接続されている。それは、識別できる、あるいは識別できない、一つまたは複数のリチャージキオスク端末とインターフェイスで接続することもできる。リチャージサーバ（４）は、ＳＩＭカードを介してリチャージ管理プログラム（３３）を識別し、ＳＩＭカードと、カードのリチャージの支払いをするのに必要なユーザーについての情報との間のリンクを作ることができる。
【００３４】
携帯端末（３）上のリチャージ管理プログラム（３３）は、ユーザーがリチャージキオスク端末（３）を識別し、携帯端末（３）上のバーコード読取手段（３１）を介して取引に関する情報を検索し、自己の非接触スマートカードのリチャージ額を入力することを可能にする。リチャージ管理プログラム（３３）は、なされるべき取引に関する情報をリチャージサーバ（４）に送信し、取引を直接行うことによって、リチャージサーバ（４）と通信することができる。この情報には、ＳＩＭカードを介するユーザーの識別についての情報が含まれる。
【００３５】
非接触スマートカード（１）にリチャージする一般的手順には、１１の過程が含まれている。第一の過程（６０）において、ユーザーは自己の非接触スマートカード（１）をリチャージキオスク端末（２）の上に置き、キオスク端末（２）はカードを認証し、カードは、相互認証と、場合によってはトランザクション識別子のために、キオスク端末（２）にデータを伝達する。第二の過程（６１）において、リチャージキオスク端末（２）は、カード（１）と現在の取引に関する特定の情報を表示し、この情報は、カード上の差引残高とリチャージ額の選択とすることがある。第三の過程（６２）の際に、キオスク端末（２）は取引に必要な情報を、言い換えれば、キオスク端末の識別子が存在する場合にはキオスク端末識別子、カード認証データ、取引額、また場合によっては手続きを安全にするためのトランザクション識別子を、リチャージサーバ（４）に送信する。第四の過程（６３）において、キオスク端末（２）は、ユーザーにリチャージ管理プログラム（３３）の開始を指示する。これらの最初の四つの過程（６０、６１、６２、６３）は随意の過程である。
【００３６】
第五の過程（６４）において、キオスク端末（２）は、キオスク端末識別子、場合によってはトランザクション識別子、キオスク端末識別データおよび／またはスマートカード識別データ、およびリチャージサーバと接触するためにユーザーが用いることができるデータ、そして最後に取引額から成るバーコードを表示する。第三の過程（６２）が実行されたとき、バーコードはトランザクション識別子だけを含んでいる、なぜならキオスク端末はすでにリチャージサーバ（４）に知られているからである。第三の過程（６２）が行われなかったとき、キオスク端末（２）および／またはスマートカード（１）の識別データは、リチャージサーバ（４）に伝達されなければならない。
【００３７】
第六の過程（６５）において、ユーザーは、自己の携帯端末（３）内に組み込まれたバーコードを読み取るための能力（３１）を用いて、キオスク端末（２）上に表示されたバーコードを取得する。
【００３８】
第七の過程（６６）において、リチャージ管理プログラム（３３）は、リチャージサーバ（４）と接触し、取引支払いをなし、リチャージサーバに支払いと取引を通知する。この過程において、リチャージサーバは、リチャージ管理プログラムの代わりに支払いをトリガーすることができる。
【００３９】
第八の過程（６７）において、リチャージサーバ（４）は、支払い／取引を確認し、キオスク端末（２）／スマートカード（１）を認証する。カード（１）と組み合わされたクレジットシステムが中央システムであるとき、リチャージサーバ（４）は支払いサーバ（５）に直接入金し、取引肯定応答メッセージは、場合によっては、リチャージ管理プログラム（３３）および／またはキオスク端末（２）に送信される。この場合、手順は第十一の過程（６９１）に直接進む。
【００４０】
第九の過程（６８）において、リチャージサーバ（４）は、カード（１）にリチャージできるように、認証データなどのデータをリチャージキオスク端末（２）に伝達する。過程（６８）は、次の過程が起きた場合には行われない。
【００４１】
第九Ｂの過程（６８１）において、リチャージサーバ（４）は、リチャージ管理プログラム（３３）へのリチャージに肯定応答し、次に該プログラムは、この肯定応答をユーザーに表示することができる。リチャージサーバは、カード（１）に入金できるように、認証データなどのデータの伝達も行う。この情報は、おそらくはユーザーの行動による結果として、リチャージ管理プログラム（３３）からリチャージキオスク端末（２）に送信される。過程（６８１）は、前の過程（６８）が実行されたときには行われない。
【００４２】
第十の過程（６９）において、ユーザーは、自己の非接触スマートカード（１）をリチャージキオスク端末（２）の上に置く。このようにしてリチャージデータは、キオスク端末（２）からカード（１）に伝達され、カードに入金される。
【００４３】
第十一の過程（６９１）は、リチャージキオスク端末（２）によるリチャージ肯定応答から成る。この過程（６９１）は、随意の過程である。
【００４４】
本発明によるリチャージ方法の過程の間に、異なるセキュリティ機構を設定することができる。例えば非接触スマートカード（１）は、チャレンジを送信することが可能で、該チャレンジはリチャージサーバ（４）に伝達され、チャレンジとリチャージ額とから成る対が次にリチャージサーバ（４）によって署名される。リチャージ額とリチャージサーバ（４）の署名はつぎにスマートカード（１）に送信され、該カードは伝達された額を自分自身に入金する。セキュリティ機構は例えば、スマートカード（１）とリチャージサーバ（４）の間の交換と相互認証の暗号化を備えたＴＳＬ型トラスト機構とすることができる。この装置は、相互認証機構と非接触スマートカードのためのリチャージキオスク端末（２）内の通常の暗号化を設定することによって完成することができる。
【００４５】
過程を先に述べた方法は、非接触スマートカード（１）にリチャージする一般的場合を形成する。しかしながら、このリチャージ方法を設定する際に、異なる場合を区別しなければならない。これらの様々な場合は、クレジットの記憶場所と、リチャージキオスク端末（２）とリチャージサーバ（４）の間の相互接続、あるいはかかる相互接続がないことに依存する。この結果、一般的リチャージ方法に四つの選択肢が生じる。
【実施例１】
【００４６】
方法の第一の実施態様は、クレジットがネットワーク内に記憶され、リチャージサーバ（４）とキオスク端末（２）が互いに接続されていない場合に関するものである。この実施態様において、第一の過程（６０）は、二つのエンティティの間の相互認証によってカード（１）をキオスク端末（２）に呈示することから成る。
【００４７】
第二の過程（６１）の際に、キオスク端末（２）は、差引残高の額をカード（１）の上に表示し、ユーザーにリチャージ額の選択を指示する。
【００４８】
第三の過程（６３）において、キオスク端末（２）は、ユーザーにリチャージ管理プログラムの開始を指示する。
【００４９】
これら全ての過程（６０、６１、６２）は、随意の過程である。
【００５０】
第四の過程（６４）において、キオスク端末（２）は、キオスク端末（２）の識別子と、取引に関連するデータとから成るバーコードを表示する。
【００５１】
第五の過程（６５）において、ユーザーは、自己の携帯端末（３）上のデータ取得手段を介して、キオスク端末（２）によって表示されたバーコードの取得を行う。
【００５２】
第六の過程（６６）において、リチャージ管理プログラム（３３）は、取引に関連するデータをリチャージサーバ（４）に転送する。
【００５３】
第七の過程（６７）において、リチャージサーバ（４）は、支払い／取引を確認し、キオスク端末（２）／スマートカード（１）を認証する。
【００５４】
第八の過程（６８１）において、リチャージサーバ（４）は、リチャージ管理プログラム（３３）へのリチャージに肯定応答し、該プログラムは表示をユーザーに提供することができる。この場合、リチャージサーバ（４）、またはリチャージ管理プログラム（３３）のいずれかによって、リチャージキオスク端末（２）に伝達された情報はない。
【実施例２】
【００５５】
リチャージ方法の第二の実施態様は、クレジットがネットワーク内に記憶され、リチャージサーバ（４）とリチャージキオスク端末（２）が互いに接続されている場合に関係する。この実施態様において、第一の過程（６０）は二つのエンティティの間の相互認証によってカード（１）をキオスク端末（２）に呈示することから成る。
【００５６】
第二の過程（６１）の際に、キオスク端末（２）は、カード（１）上の差引残高の額を表示し、ユーザーにリチャージ額の選択を指示する。
【００５７】
第三の過程（６２）において、リチャージキオスク端末（２）は、その識別子、キオスク端末／カード認証データ、取引額、および場合によってはセキュリティデータを、リチャージサーバ（４）に伝達する。
【００５８】
第四の過程（６３）において、キオスク端末（２）は、ユーザーにリチャージ管理プログラムの開始を指示する。これら全ての過程（６０、６１、６２、６３）は、随意の過程である。
【００５９】
第五の過程（６４）において、キオスク端末（２）は、キオスク端末（２）の識別子と、取引に関連するデータとから成るバーコードを表示する。
【００６０】
第六の過程（６５）において、ユーザーは、自己の携帯端末（３）上のデータ取得手段を用いてキオスク端末（２）によって表示されたバーコードの取得を行う。
【００６１】
第七の過程（６６）において、リチャージ管理プログラム（３３）は、取引に関連するデータをリチャージサーバ（４）に転送する。
【００６２】
第八の過程（６７）において、リチャージサーバ（４）は、支払い／取引を確認し、キオスク端末（２）／スマートカード（１）を認証する。
【００６３】
第九の過程（６８１）において、リチャージサーバ（４）は、リチャージ管理プログラム（３３）へのリチャージに肯定応答し、該プログラムは表示をユーザーに提供することができる。
【００６４】
上述の方法の二つの実施態様において、非接触スマートカード（１）は、手順の終わりのリチャージに関する情報をいっさい含まず、それが行うのはリチャージ手順の初めの識別を助けることだけである。
【実施例３】
【００６５】
リチャージ方法の第三の実施態様は、クレジットがカード内に記憶され、リチャージサーバ（４）とリチャージキオスク端末端末（２）が互いに接続されていない場合に関係する。この実施態様において、第一の過程（６０）は、二つのエンティティの間の相互認証によってカード（１）をキオスク端末（２）に呈示することから成る。
【００６６】
第二の過程（６１）の際に、キオスク端末（２）は、カード（１）上の差引残高の額を表示し、ユーザーにリチャージ額の選択を指示する。
【００６７】
第三の過程（６３）において、キオスク端末（２）は、ユーザーにリチャージ管理プログラムの開始を指示する。
【００６８】
これら全ての過程（６０、６１、６２、６３）は、随意の過程である。
【００６９】
第四の過程（６４）において、キオスク端末（２）は、キオスク端末（２）の識別子と取引に関連するデータとから成るバーコードを表示する。
【００７０】
第五の過程（６５）において、ユーザーは自己の携帯端末（３）上に設置されたデータ取得手段を用いて、キオスク端末（２）によって表示されたバーコードを取得する。
【００７１】
第六の過程（６６）において、リチャージ管理プログラム（３３）は、取引についての情報をリチャージサーバ（４）に転送する。
【００７２】
第七の過程（６７）において、リチャージサーバ（４）は、支払い／取引を確認し、キオスク端末（２）／スマートカード（１）を認証する。
【００７３】
第八の過程（６８１）において、リチャージサーバ（４）は、リチャージ管理プログラム（３３）へのリチャージに肯定応答し、該プログラムはそれをユーザーに表示することができる。リチャージ管理プログラム（３３）は、スマートカードにリチャージできるように、情報をリチャージキオスク端末（２）に伝達する。
【００７４】
第九の過程（６９）において、リチャージに関するデータがカード（１）に伝達されるように、ユーザーは、自己のスマートカード（１）をリチャージキオスク端末（２）の上に置く。このようにしてカードに入金する。
【実施例４】
【００７５】
リチャージ方法の第四の実施態様は、クレジットがカード内に記憶され、リチャージサーバ（４）とリチャージキオスク端末（２）が互いに接続されている場合を対象とする。この選択肢において、第一の過程（６０）は、二つのエンティティの間の相互認証によってカード（１）をキオスク端末（２）に呈示することから成る。
【００７６】
第二の過程（６１）の際に、キオスク端末（２）は、カード（１）上の差引残高の額を表示し、ユーザーにリチャージ額の選択を指示する。
【００７７】
第三の過程（６２）において、リチャージキオスク端末（２）は、その識別子、キオスク端末／カード認証データ、取引額および場合によってはセキュリティデータをリチャージサーバ（４）に伝達する。
【００７８】
第四の過程（６３）において、キオスク端末（２）は、ユーザーにリチャージ管理プログラムの開始を指示する。
【００７９】
これら全ての過程（６０、６１、６２、６３）は、随意の過程である。
【００８０】
第五の過程（６４）において、キオスク端末（２）は、キオスク端末（２）の識別子と、取引に関連するデータとから成るバーコードを表示する。
【００８１】
第六の過程（６５）において、ユーザーは、自己の携帯端末（３）上に設置されたデータ取得手段を介して、キオスク端末（２）によって表示されたバーコードの取得を行う。
【００８２】
第七の過程（６６）において、リチャージ管理プログラム（３３）は、取引に関連するデータをリチャージサーバ（４）に転送する。
【００８３】
第八の過程（６７）において、リチャージサーバ（４）は、支払い／取引を確認し、キオスク端末（２）／スマートカード（１）を認証する。
【００８４】
第九の過程（６８）において、リチャージサーバ（４）は、スマートカード（１）に入金できるように、手順に関するデータをリチャージキオスク端末（２）に伝達する。
【００８５】
第十の過程（６９）において、リチャージに関するデータがカード（１）に伝達されるように、ユーザーは、自己のスマートカード（１）をリチャージキオスク端末（２）の上に置く。
【００８６】
このようにして、カードに入金する。
【００８７】
第十一の過程（６９１）において、キオスク端末はリチャージに肯定応答する。
【００８８】
該方法の上記二つの実施態様において、非接触スマートカード（１）はリチャージ手順の結果を記憶する、したがって、このカードはこの手順から生じる全ての情報を含んでいる。
【００８９】
ユーザーが自己の非接触カード（１）にリチャージしたいとき、リチャージキオスク端末（２）に行って自己のリチャージ管理プログラム（３３）を開始する。ユーザーは、自己のスマートカード（１）をリチャージキオスク端末（２）の上に置き、ついで後者がバーコードを表示する。リチャージ管理プログラム（３３）は、キオスク端末（２）によって発生したバーコードを読み取り、オーバーチャージされたＳＭＳを用いて、該バーコードをリチャージサーバ（４）に伝達する。ＳＭＳのオーバーチャージの額は、スマートカード（１）に入金される額として使用される。リチャージサーバ（４）は、そのバーコードを介して識別されたリチャージキオスク端末（２）に、カード（１）に入金される額を示すメッセージを送信する。このメッセージは、リチャージキオスク端末（２）をリチャージサーバ（４）に接続するローカルネットワークを通過する。このメッセージを受信するとすぐに、リチャージキオスク端末（２）は、その上に置かれていた第一の非接触スマートカード（１）に該メッセージを送信する。スマートカード（１）は、メッセージ内に示された額が入金される。
【００９０】
当業者には自明のごとく、本発明には他の多くの特定の形での実施態様が可能であるが、請求された本発明の応用分野から逸脱するものではない。したがって、これらの実施態様は、例としてみなされなければならず、しかし、付属の請求の範囲に定義された範囲を逸脱せずに修正が可能であり、本発明は上述の詳細に制限されてはならない。
【００９１】
【表１】
2005353048.tif 000003
【００９２】
【表２】
2005353048.tif 000004
【００９３】
【表３】
2005353048.tif 000005
【００９４】
【表４】
2005353048.tif 000006
【００９５】
【表５】
2005353048.tif 000007
【００９６】
【表６】
2005353048.tif 000008
【００９７】
【表７】
2005353048.tif 000009
【図面の簡単な説明】
【００９８】
【図１】本発明による方法を実施することのできる装置を示している。
【図２】携帯端末と本発明によるリチャージ方法を実施するのに用いられた非接触スマートカードを示している。
【図３】本発明による一般的な方法における過程を含むフローチャートを示している。
【図４】本発明による方法の第一の実施態様における過程を含むフローチャートを示している。
【図５】本発明による方法の第二の実施態様における過程を含むフローチャートを示している。
【図６】本発明による方法の第三の実施態様における過程を含むフローチャートを示している。
【図７】本発明による方法の第四の実施態様における過程を含むフローチャートを示している。
【符号の説明】
【００９９】
１    非接触スマートカード  
２    リチャージキオスク端末
３    携帯端末
４    リチャージサーバ
１１    チップ
１２    アンテナ
３１    形状読取手段
３２    通信手段
３３    リチャージ管理プログラム
【図１】
2005353048.tif 000010
【図２】
2005353048.tif 000011
【図３】
2005353048.tif 000012
【図４】
2005353048.tif 000013
【図５】
2005353048.tif 000014
【図６】
2005353048.tif 000015
【図７】
2005353048.tif 000016
【外国語明細書】
2005353048.tif 000017
2005353048.tif 000018
2005353048.tif 000019
2005353048.tif 000020
2005353048.tif 000021
2005353048.tif 000022
2005353048.tif 000023
2005353048.tif 000024
2005353048.tif 000025
2005353048.tif 000026
2005353048.tif 000027
2005353048.tif 000028
2005353048.tif 000029
2005353048.tif 000030
2005353048.tif 000031
2005353048.tif 000032
2005353048.tif 000033
2005353048.tif 000034
2005353048.tif 000035
2005353048.tif 000036
2005353048.tif 000037
2005353048.tif 000038
2005353048.tif 000039
2005353048.tif 000040
2005353048.tif 000041
2005353048.tif 000042
2005353048.tif 000043
2005353048.tif 000044
2005353048.tif 000045
2005353048.tif 000046
2005353048.tif 000047
2005353048.tif 000048
2005353048.tif 000049
2005353048.tif 000050
2005353048.tif 000051
2005353048.tif 000052
2005353048.tif 000053
2005353048.tif 000054